(57)【特許請求の範囲】
【請求項１】
自走式噴霧機の噴孔支持構造において、走行フレーム１より噴孔支柱２を立設し、該噴孔支柱２に外嵌される垂直ステー３には、水平方向に水平ステー１４が付設されていて、該水平ステー１４の両側端には、水平方向に前後回動可能に水平支持杆１５を枢支ボルト１６にて枢支し、
該水平ステー１４と該水平支持杆１５との間にバネ１７を跨設しており、該バネ１７の支点越えにより、該水平支持杆１５を両側に広げた状態と、折り畳んだ状態とに切り換え可能とし、
該水平支持杆１５に沿設して、下向きの噴孔を具備する水平状の主噴霧管１８を支持し、該水平支持杆１５の折り畳みにより、水平支持杆１５に添設する主噴霧管１８も同時に折り畳み可能とし、
該主噴霧管１８の該噴孔のいずれかより、下端に噴孔を具備する副噴霧管１９を垂下し、該副噴霧管１９はゴムホースのような弾性材で構成し、副噴霧管１９の下端の噴孔を斜め上方向きとしたことを特徴とする自走式噴霧機の噴孔支持構造。
【発明の詳細な説明】
【０００１】
【発明の属する技術分野】
本発明は、自走式噴霧機、例えば、クローラ式、或いはホイル式の走行装置上に、薬液タンクを搭載するタイプ、或いは別途設置した薬液タンクとの間に連結するホースを巻き取り、繰り出しながら走行するタイプ等における、作物の上方と下方とより同時に噴霧ができるような噴孔の支持構造に関する。
【０００２】
【従来の技術】
従来、クローラ式、或いはホイル式の走行装置上に薬液タンクを搭載し、車体後端に噴孔を支持してなる自走式噴霧機は公知であり、例えば、実開昭５９−２７８５４、実開平４−９５７、実公平６−４１６６６、実開平７−２８３７６、特開平７−２５５３４７等の公報に開示されている。
これらの中で、噴孔の支持構造については、車体後端に噴孔を具備する垂直状の噴霧管を左右一対に二本立設したり、或いは垂直状の支持管に、噴孔を具備する水平状の噴霧管を支持したりという構造である。中には、噴孔を具備する垂直状の噴霧管を左右回動自在にして、噴霧ムラを回避するという構造のものもある。
また、別途設置した薬液タンクとの間にホースを連結し、該ホースを巻き取り或いは繰り出しながら、遠隔自動制御式に走行するタイプのものもあるが、この場合にも、噴孔支持構造については同様である。
【０００３】
【発明が解決しようとする課題】
自走式噴霧機自体は様々な噴霧作業に適用できるが、噴霧対象によっては、噴孔の支持構造をそれに合わせて変更しなければ、実際に噴霧作業をする上で不具合を生じる。
例えば、煙草に噴霧作業を行う場合、水平状の噴霧管にて上方より下向きに薬液噴霧を行うだけでは、葉が大きいために、根元付近の葉にまで薬液が行き届かないという問題がある。このような作物に噴霧作業をする場合、上方からと下方からの噴霧が同時になされる噴孔支持構造とすれば、作業効率が向上するのである。
【０００４】
【課題を解決するための手段】
本発明は、自走式噴霧機の噴孔支持構造において、以上のような噴霧作業における問題点に鑑み、次のような手段を用いるものである。
自走式噴霧機の噴孔支持構造において、走行フレーム１より噴孔支柱２を立設し、該噴孔支柱２に外嵌される垂直ステー３には、水平方向に水平ステー１４が付設されていて、該水平ステー１４の両側端には、水平方向に前後回動可能に水平支持杆１５を枢支ボルト１６にて枢支し、該水平ステー１４と該水平支持杆１５との間にバネ１７を跨設しており、該バネ１７の支点越えにより、該水平支持杆１５を両側に広げた状態と、折り畳んだ状態とに切り換え可能とし、該水平支持杆１５に沿設して、下向きの噴孔を具備する水平状の主噴霧管１８を支持し、該水平支持杆１５の折り畳みにより、水平支持杆１５に添設する主噴霧管１８も同時に折り畳み可能とし、該主噴霧管１８の該噴孔のいずれかより、下端に噴孔を具備する副噴霧管１９を垂下し、該副噴霧管１９はゴムホースのような弾性材で構成し、副噴霧管１９の下端の噴孔を斜め上方向きとしたものである。
【０００５】
【発明の実施の形態】
本発明の実施の形態を、添付の図面にて説明する。図１は上方からと下方からの噴霧を同時に行えるように、主噴霧管９より副噴霧管１０を垂下させたタイプの噴孔支持構造を採用する噴霧作業中の自走式噴霧機の後面図、図２は図１図示の主噴霧管９の折り畳み機構を示す部分斜視図、図３は薬液タンク搭載型自走式噴霧機の正面図、図４は同じく後面図、図５は同じく側面図、図６は同じく平面図、図７はホース繰出型の自走式噴霧機の噴霧作業の様子を示す斜視図である。
【０００６】
まず、本発明の噴孔支持構造を採用する自走式噴霧機として、二タイプのものが考えられる。
一つは、図３乃至図６図示の薬液タンク搭載型のもの、もう一つは、図７図示のホース繰出型のものである。
前者は、車体の走行とともに車体前方に人がついて噴霧作業を行うのに適用するものであり、車体には薬液タンクを搭載しており、この搭載する薬液タンク内の薬液又は水を噴孔より噴霧するのである。
後者は、ハウス内等で、全行程において無人化を推進したものであり、噴霧機は車体自体に駆動装置を設けるか、或いは、遠隔操作によって走行させるようにしている。
例えば、図７では、噴霧機Ａの前後方向の移動の際にはそれ自身の駆動装置にて走行駆動し、横方向の移動の際には、レールＲ上を移動可能とする台車Ｂ上に該噴霧機Ａを搭載し、ウィンチＣより台車ＢにワイヤＷを連結し、台車Ｂごと引っ張るものとしている。そして、薬液タンクＴ’は、別途に設置されていて、該薬液タンクＴ’より、ホース巻き取り機Ｄを介してホースＨを噴霧機Ａに連結し、噴霧機Ａ（または台車Ｂ）の移動とともにホースＨを巻き取り、繰り出すのである。
【０００７】
図１及び図２図示の本発明に係る噴孔支持構造は、図３乃至図６図示の薬液タンク搭載型の自走式噴霧機に採用しているが、図７図示のホース繰出型のものに採用してもよいのである。
【０００８】
薬液タンク搭載型の自走式噴霧機の構造について図３乃至図６より説明する。まず、走行装置であるが、走行フレーム１の左右に転輪７・８及びアイドラ９を懸架し、また、該走行フレーム１の直前方に配設する走行ミッションケースＭの左右に、駆動スプロケット６を軸支しており、同一側に配設する駆動スプロケット６、転輪７・８、及びアイドラー９にクローラ１０を巻回して構成される。
【０００９】
走行フレーム１より前部上方に、動力部支持フレーム１１を延設しており、該動力部支持フレーム１１上には、エンジンＥ、動噴Ｐを搭載する。該動力支持フレーム１１よりエンジン及び動噴Ｐの上方部分にかけて、ハンドル１２を立設しており、該ハンドル１２の上部にいくつかのレバー類を具備する操作ボックス１３が配設されている。
こうして形成される動力部の後方にて、該走行フレーム１上に薬液タンクＴが搭載されており、薬液タンクＴの後方で、走行フレーム１の後端より噴孔支柱２を立設するとともに、該噴孔支柱２の基端部付近にて、薬液タンクＴからの薬液取出口５が配設されていて、ここに後記主噴霧管１８より延設する薬液ホース２０（図１及び図２図示）の端部を連結するものである。
噴孔支柱２には、後記の支持杆１４や噴霧管等を付設するための垂直ステー３が上下摺動自在に外嵌されており、固定ネジ４にて位置固定できるようになっている。
【００１０】
噴霧作業に際しては、オペレーターが、走行する車体前方に立ち、後方の噴孔支柱２にて支持される噴孔による噴霧状況を見ながら、ハンドル１２を操作したりレバー類を操作したりして、噴霧作業を進めるものである。勿論、リモコン制御式にすれば、オペレーターが車体のそばにつかずに走行及び噴霧制御をすることができる。
【００１１】
本発明の噴孔支持構造について、図１及び図２より説明する。噴孔支柱２に外嵌される垂直ステー３には、水平ステー１４が付設されていて、該水平ステー１４の両側端には、水平方向に前後回動可能に、水平支持杆１５の基端部１５ａを枢支ボルト１６にて枢支している。
該水平ステー１４と該水平支持杆１５の基端部１５ａとの間には、バネ１７を跨設しており、該バネ１７の支点越えを利用し、水平支持杆１５を、図１のように両側に広げた状態と、図２のように前方に折り畳んだ状態とに切り換えることができる。
このように水平支持杆１５を折り畳めれば、後記の如くこれに添設する主噴霧管１８も同時に折り畳めることとなる。
【００１２】
水平主噴霧管１５には、平行状に主噴霧管１８を添設しており、主噴霧管１８には下向きに複数個の噴孔１８ａ・１８ａ・・・が付設されていて、例えば、図１に示すように、煙草等の作物の上方より噴霧を施すことができる。しかし、煙草等は、葉が大きく、根元近くの葉の裏にまで薬液が付着しない。そこで、噴孔１８ａのいずれかより、副噴霧管１９を垂設できるようにしている。該副噴霧管１９の下端には噴孔１９ａが付設されているが、該噴孔１９ａは斜め上方を向いていて、下方より薬液を噴霧して、葉の裏に薬液が付着するようにしている。
なお、噴孔１９ａを下向きにすれば、作物の上方からの噴霧と同時に、地表の噴霧作業（例えば下草除去等）もできることとなる。
【００１３】
副噴霧管１９は、葉等との緩衝のため、ゴムホースのような弾性材で構成することも考えられる。
【００１４】
【発明の効果】
本発明は、自走式噴霧機の噴孔支持構造において、走行フレーム１より噴孔支柱２を立設し、該噴孔支柱２に外嵌される垂直ステー３には、水平方向に水平ステー１４が付設されていて、該水平ステー１４の両側端には、水平方向に前後回動可能に水平支持杆１５を枢支ボルト１６にて枢支し、該水平ステー１４と該水平支持杆１５との間にバネ１７を跨設しており、該バネ１７の支点越えにより、該水平支持杆１５を両側に広げた状態と、折り畳んだ状態とに切り換え可能とし、該水平支持杆１５に沿設して、下向きの噴孔を具備する水平状の主噴霧管１８を支持し、該水平支持杆１５の折り畳みにより、水平支持杆１５に添設する主噴霧管１８も同時に折り畳み可能とし、該主噴霧管１８の該噴孔のいずれかより、下端に噴孔を具備する副噴霧管１９を垂下し、該副噴霧管１９はゴムホースのような弾性材で構成し、副噴霧管１９の下端の噴孔を斜め上方向きとしたので、次のような効果を奏する。
第１に、主噴霧管の噴孔にて作物の上方からの噴霧を、そして、副噴霧管の噴孔にて根元部における噴霧とを、同時に行うことができ、噴霧作業効率が向上する。
第２に、副噴霧管の噴孔を斜め上方向きにすることで、例えば煙草のような葉の大きな作物において、上方からは、水平状の主噴霧管の噴孔より下向きに薬液を噴霧し、また、下方より上向きに、副噴霧管の噴孔より薬液を噴霧して、葉の裏側まで薬液を行き届かせることができる。
【図面の簡単な説明】
【図１】  上方からと下方からの噴霧を同時に行えるように、主噴霧管１８より副噴霧管１９を垂下させたタイプの噴孔支持構造を採用する噴霧作業中の自走式噴霧機の後面図である。
【図２】  図１図示の主噴霧管１８（水平支持杆１５）の折り畳み機構を示す部分斜視図である。
【図３】  薬液タンク搭載型自走式噴霧機の正面図である。
【図４】  同じく後面図である。
【図５】  同じく側面図である。
【図６】  同じく平面図である。
【図７】  ホース繰出型の自走式噴霧機の噴霧作業の様子を示す斜視図である。
【符号の説明】
１      走行フレーム
２      噴孔支柱
３      垂直ステー
４      固定ネジ
１４    水平ステー
１５    水平支持杆
１５ａ  基端部
１６    枢支ボルト
１７    バネ
１８    主噴霧管
１８ａ  噴孔
１９    副噴霧管
１９ａ  噴孔
【図１】
0003814024.tif 000002
【図２】
0003814024.tif 000003
【図３】
0003814024.tif 000004
【図４】
0003814024.tif 000005
【図５】
0003814024.tif 000006
【図６】
0003814024.tif 000007
【図７】
0003814024.tif 000008